(57)【要約】【課題】コンテンツを視聴する時間帯に応じて、照明設定の実施をコンテンツの再生と連動させる。【解決手段】実施形態に係る照明装置制御プログラムは、照明装置の設定と前記設定を実施するための複数の条件との組み合わせが１つ以上記録され、前記複数の条件は、コンテンツの再生と連動することと、前記コンテンツのジャンルが所定のジャンルであることと、前記コンテンツの再生時間帯が所定の時間帯であることと、を要件として含ませる第１命令と、前記コンテンツの再生指示を受け付けさせる第２命令と、前記コンテンツのジャンルを取得し、前記複数の条件の全てが合致した場合に、前記設定を実施するか否かを問う表示画面を表示する信号を出力させる第３命令と、前記設定を実施するか否かの指示を受け付けさせる第４命令と、前記設定を実施する指示を受け付けた場合に、前記設定の対象となる照明装置に前記設定の制御信号を送信させる第５命令とを有する。【選択図】図１
2016054054.tif 000002
【特許請求の範囲】
【請求項１】
コンピュータを動作させる照明装置制御プログラムであって、
照明装置の設定と前記設定を実施するための複数の条件との組み合わせが１つ以上記録され、前記複数の条件は、コンテンツの再生と連動することと、前記コンテンツのジャンルが所定のジャンルであることと、前記コンテンツの再生時間帯が所定の時間帯であることと、を要件として含ませる第１命令と、
前記コンテンツの再生指示を受け付けさせる第２命令と、
前記コンテンツのジャンルを取得し、前記複数の条件の全てが合致した場合に、前記設定を実施するか否かを問う表示画面を表示する信号を出力させる第３命令と、
前記設定を実施するか否かの指示を受け付けさせる第４命令と、
前記設定を実施する指示を受け付けた場合に、前記設定の対象となる照明装置に前記設定の制御信号を送信させる第５命令とを有した、コンピュータを機能させる照明装置制御プログラム。
【請求項２】
前記条件は、前記コンテンツの再生が先頭から行われていることを更に要件として含む請求項１に記載のコンピュータを機能させる照明装置制御プログラム。
【請求項３】
前記条件の全てが合致する組み合わせが複数ある場合、前記表示画面は、実施可能な前記設定が複数あることを表示する請求項１に記載のコンピュータを機能させる照明装置制御プログラム。
【請求項４】
前記設定を実施する指示を受け付けた場合に前記コンテンツの再生を開始させる、請求項１に記載のコンピュータを機能させる照明装置制御プログラム。
【請求項５】
照明装置の設定と前記設定を実施するための複数の条件との組み合わせが１つ以上記録され、前記複数の条件は、コンテンツの再生と連動することと、前記コンテンツのジャンルが所定のジャンルであることと、前記コンテンツの再生時間帯が所定の時間帯であることと、を要件として含む照明設定記録部と、
前記コンテンツのジャンルを取得し、前記複数の条件の全てが合致した場合に、前記設定を実施するか否かを問う表示画面を表示する信号を出力する表示画面制御部と、
前記コンテンツの再生指示および前記設定を実施するか否かの指示を受け付ける受信部と、
前記設定を実施する指示を受け付けた場合に、前記設定の対象となる照明装置に前記設定の制御信号を送信する照明装置制御部と、を備える電子機器。
【請求項６】
前記条件は、前記コンテンツの再生が先頭から行われていることを更に要件として含む請求項５に記載の電子機器。
【請求項７】
前記条件の全てが合致する組み合わせが複数ある場合、前記表示画面は、実施可能な前記設定が複数あることを表示する請求項５に記載の電子機器。
【請求項８】
前記設定を実施する指示を受け付けた場合に前記コンテンツの再生を開始させる、請求項５に記載の電子機器。
【請求項９】
照明装置の設定と前記設定を実施するための複数の条件との組み合わせが１つ以上記録され、前記複数の条件は、
コンテンツの再生と連動することと、前記コンテンツのジャンルが所定のジャンルであることと、前記コンテンツの再生時間帯が所定の時間帯であることと、を要件として含む照明設定記録部と、
前記コンテンツのジャンルを取得し、前記複数の条件の全てが合致した場合に、前記設定を実施するか否かを問う表示画面を表示する信号を出力する表示画面制御部と、
前記コンテンツの再生指示および前記設定を実施するか否かの指示を受け付ける受信部と、
前記設定を実施する指示を受け付けた場合に、前記設定の対象となる照明装置に前記設定の制御信号を送信する照明装置制御部と、を備える電子機器と、
前記照明装置制御部から送信された前記設定の制御信号を受信し、前記設定が実施される照明装置と、を有するシステム。
【発明の詳細な説明】
【技術分野】
【０００１】
実施形態は、照明装置を制御するプログラム、電子機器及びシステムに関する。
【背景技術】
【０００２】
近年、コンテンツを再生する際に、コンテンツのジャンルに応じて照明装置の照明光を制御し、コンテンツの視聴に適した環境を整える技術が知られている。
【先行技術文献】
【特許文献】
【０００３】
【特許文献１】特表２００７−１１９２７７号公報
【発明の概要】
【発明が解決しようとする課題】
【０００４】
しかしながら、コンテンツを視聴する部屋の明るさは、時間帯によっても変わるため、単純にコンテンツのジャンルに応じて照明を制御しただけでは、必ずしもコンテンツの視聴に適した視聴環境にはならないという問題があった。
【０００５】
実施形態に係る照明装置制御プログラムは、上記事情に鑑み、コンテンツを視聴する時間帯に応じて、照明設定の実施をコンテンツの再生と連動させる照明装置制御プログラム、電子機器およびシステムを提供することを課題とする。
【課題を解決するための手段】
【０００６】
実施形態に係る照明装置制御プログラムは、照明装置の設定と前記設定を実施するための複数の条件との組み合わせが１つ以上記録され、前記複数の条件は、コンテンツの再生と連動することと、前記コンテンツのジャンルが所定のジャンルであることと、前記コンテンツの再生時間帯が所定の時間帯であることと、を要件として含ませる第１命令と、前記コンテンツの再生指示を受け付けさせる第２命令と、前記コンテンツのジャンルを取得し、前記複数の条件の全てが合致した場合に、前記設定を実施するか否かを問う表示画面を表示する信号を出力させる第３命令と、前記設定を実施するか否かの指示を受け付けさせる第４命令と、前記設定を実施する指示を受け付けた場合に、前記設定の対象となる照明装置に前記設定の制御信号を送信させる第５命令とを有する。
【図面の簡単な説明】
【０００７】
【図１】図１は、実施形態に係る電子機器の構成図である。
【図２】図２は、登録された照明設定と各照明設定の対応する実施条件が記載された一覧表の一例を示した図である。
【図３】図３は、表示画面制御部が表示するポップアップ画面の一例を示した図である。
【図４】図４は、実施形態に係る電子機器がコンテンツを再生してから照明を制御するまでのフローチャートを示した図である。
【図５】図５は、実施形態に係る電子機器がコンテンツを再生してから照明を制御するまでのフローチャートを示した図である。
【図６】図６は、実施形態に係る電子機器および電子機器によって制御される照明装置とを有するシステムを示した図である。
【発明を実施するための形態】
【０００８】
以下、図面を参照しながら実施形態に係る電子機器１およびシステムについて説明する。
【０００９】
（第１の実施形態）  
図１は、実施形態に係る電子機器１の構成を示す図である。
【００１０】
図１に示すように、第１の実施形態に係る電子機器１は、アンテナ１０１、入力端子１０２、チューナー部１０３、外部入力端子１０４〜１０７、信号処理部１０８、コントローラ１１０、ＯＳＤ信号生成部１１１、グラフィック処理部１１２、映像処理部１１３、音声処理部１１４、操作部１１５、受信部１１７、カードホルダ１１９、カードインターフェース１２０、明るさセンサー１２１、ＬＡＮ端子１２２、通信インターフェース１２３、ＵＳＢ端子１２４、ＵＳＢインターフェース１２５、ＨＤＭＩ（登録商標）端子１２８、ＨＤＭＩインターフェース１２９、映像表示部１４１、スピーカ１４２、記録部１５１、照明装置制御部２１０、表示画面制御部２２０を備えている。照明装置制御部２１０および表示画面制御部２２０は、例えば、コントローラー１１０内に設けられている。
【００１１】
さらに、チューナー部１０３は、地上デジタルテレビジョン放送用のチューナー１０３１〜１０３８を備え、さらにＢＳ／ＣＳデジタルテレビジョン放送用のチューナーも備えている。地上デジタルテレビジョン放送用のチューナー１０３１〜１０３８により、地上デジタルテレビジョン放送に対応した番組表を受信し、表示することができる。また、ＢＳ／ＣＳデジタルテレビジョン放送用のチューナーにより、ＢＳ／ＣＳデジタルテレビジョン放送に対応した番組表を受信し、表示することもできる。
【００１２】
また、本実施形態では、図１に示すように、電子機器１が、映像表示部１４１及びスピーカ１４２を備えるケースについて説明する。しかしながら、電子機器１は、このような構成に限定されるものではない。例えば、電子機器１は、映像表示部１４１及びスピーカ１４２を含まない構成であってもよい。つまり、電子機器１は、ＨＤＭＩ等の接続手段を介して映像表示部１４１及びスピーカ１４２と接続する構成であってもよい。
【００１３】
また、本実施形態では、図１に示すように、電子機器１が、記録部１５１を備えるケースについて説明する。しかしながら、電子機器１は、このような構成に限定されるものではない。例えば、電子機器１は、記録部１５１を含まない構成であってもよい。つまり、電子機器１は、ＵＳＢ端子１２４及びＵＳＢインターフェース１２５などの接続手段を介して外部記憶装置（ＨＤＤなど）と接続する構成であってもよい。
【００１４】
また、本実施形態では、図１に示すように、電子機器１が、複数のチューナーを備えるケースについて説明する。しかしながら、電子機器１は、このような構成に限定されるものではない。例えば、電子機器１が、複数のチューナーを含まない構成であってもよい。その場合、例えば、電子機器１は、ＬＡＮ端子１２２を介してＩＰ（Internet Protocol）放送を受信し、ＩＰ放送の複数チャンネルに対応した番組を再生したり、録画したりする構成であってもよい。
【００１５】
以下、電子機器１の詳細について説明する。
【００１６】
地上波放送受信用のアンテナ１０１で受信した地上デジタルテレビジョン放送信号は、入力端子１０２を介してチューナー１０３１〜１０３８に供給され、チューナー１０３１〜１０３８の地上デジタルテレビジョン放送用信号処理部で、所望のチャンネルのデジタルテレビジョン放送信号が選局される。そして、このチューナー１０３１〜１０３８で選局された複数のデジタルテレビジョン放送信号は、信号処理部に供給されて、デジタルの映像信号及び音声信号に復調される。
【００１７】
ここで、上記信号処理部１０８は、上記デジタルの映像信号及び音声信号に対して、選択的に所定のデジタル信号処理を施し、グラフィック処理部１１２及び音声処理部１１４に出力している。
【００１８】
また、上記信号処理部１０８には、例えば４つの入力端子１０４〜１０７が接続されている。これら入力端子１０４〜１０７は、それぞれ、アナログの映像信号及び音声信号を、電子機器１の外部から入力可能とするものである。
【００１９】
そして、この信号処理部１０８は、各入力端子１０４〜１０７からそれぞれ供給されたアナログの映像信号及び音声信号を選択的にデジタル化し、このデジタル化された映像信号及び音声信号に対して所定のデジタル信号処理を施した後、グラフィック処理部１１２及び音声処理部１１４に出力している。
【００２０】
このうち、グラフィック処理部１１２は、信号処理部１０８から供給されるデジタルの映像信号に、ＯＳＤ（on screen display）信号生成モジュール１１１で生成されるＯＳＤ信号を重畳して出力する機能を有する。このグラフィック処理部１１２は、信号処理部１０８の出力映像信号と、ＯＳＤ信号生成部１１１の出力ＯＳＤ信号とを選択的に出力すること、また、両出力をそれぞれ画面の半分を構成するように組み合わせて出力することができる。
【００２１】
そして、グラフィック処理部１１２から出力されたデジタルの映像信号は、映像処理部１１３に供給される。映像処理部１１３により処理された映像信号は、映像表示部１４１に供給される。映像表示部１４１は、映像信号に基づく映像を表示する。
【００２２】
また、上記音声処理部１１４は、入力されたデジタルの音声信号を、スピーカ１４２で再生可能なフォーマットのアナログ音声信号に変換した後、スピーカ１４２に出力して音声再生させる。
【００２３】
ここで、この電子機器１は、上記した各種の受信動作を含むその全ての動作をコントローラ１１０によって統括的に制御されている。コントローラ１１０は、ＣＰＵ（central processing unit）１１００等を備え、操作部１１５からの操作情報（各種指示）、または、リモートコントローラ１１６から送出され受信部１１７を介して受信した操作情報（各種指示）を受けて、その操作内容が反映されるように各モジュール等をそれぞれ制御する。またコントローラ１１０は、コンテンツの再生制御の機能も有しており、入力された操作情報に応じてコンテンツ再生を制御する。なお、受信部１１７及びリモートコントローラ１１６は、電波等を用いる無線通信により操作信号の送受信を行うものであってもよいし、赤外線を利用するものであってもよい。
【００２４】
また、コントローラ１１０は、ＣＰＵ１１００が実行する制御プログラムを格納したＲＯＭ（read only memory）１１０１と、ＣＰＵ１１００に作業エリアを提供するＲＡＭ（random access memory）１１０２と、各種の設定情報及び制御情報等が格納される不揮発性メモリ１１０３とを備えている。不揮発性メモリ１１０３は、例えば、照明装置の設定と前記設定を実施するための複数の条件との組み合わせが１つ以上記録された照明設定記録部１１０４を含む。上記複数の条件は、少なくとも、コンテンツの再生と連動し、コンテンツのジャンルが所定のジャンルでありかつコンテンツの再生時間帯が所定の時間帯であることを要件として含む。
【００２５】
また、コントローラ１１０は、カードインターフェース１２０を介して、メモリカード１１８が装着可能なカードホルダ１１９に接続されている。これによって、コントローラ１１０は、カードホルダ１１９に装着されたメモリカード１１８と、カードインターフェース１２０を介して、情報伝送を行なうことができる。
【００２６】
また、上記コントローラ１１０は、通信インターフェース１２３を介してＬＡＮ端子１２２と接続されている。これにより、コントローラ１１０は、ＬＡＮ端子１２２に接続されたＬＡＮ対応機器と、通信インターフェース１２３を介して情報伝送を行なうことができる。この場合、コントローラ１１０は、ＤＨＣＰ（dynamic host configuration protocol）サーバ機能を有し、ＬＡＮ端子１２２に接続されたＬＡＮ対応機器にＩＰ（internet protocol）アドレスを割り当てて制御している。ＬＡＮ端子１２２は、無線ＬＡＮの子機が接続されていてもよく、有線ＬＡＮの端子が接続されていてもよい。また、電子機器１は、無線ＬＡＮの子機またはBluetooth（登録商標）接続可能な通信端末が内蔵されていてもよい。
【００２７】
さらに、上記コントローラ１１０は、ＨＤＭＩインターフェース１２９を介してＨＤＭＩ端子１２８と接続されている。これにより、コントローラ１１０は、ＨＤＭＩ端子１２８に接続されたＨＤＭＩ対応機器と、ＨＤＭＩインターフェース１２９を介して情報伝送を行なうことができる。
【００２８】
そして、上記コントローラ１１０は、ＵＳＢインターフェース１２５を介してＵＳＢ端子１２４と接続されている。これにより、コントローラ１１０は、ＵＳＢ端子１２４に接続されたＵＳＢ対応機器と、ＵＳＢインターフェース１２５を介して情報伝送を行なうことができる。
【００２９】
さらに、上記コントローラ１１０は、明るさセンサー１２１からの明るさ検出信号を受信するように構成されている。これにより、コントローラ１１０は、明るさ検出信号に基づき、映像及びバックライトの明るさ等を制御することができる。
【００３０】
さらに、上記コントローラ１１０は、チューナー部１０３により選局されデスクランブルされた放送信号を、記録部１５１またはＬＡＮ端子１２２もしくはＵＳＢ端子１２４を介して接続された外部記憶装置（ＨＤＤなど）へ録画するための録画動作を制御することもできる。上記したように、チューナー部１０３は、複数のチューナー１０３１〜１０３８を備えているので、電子機器１は、同時に、複数チャンネルの番組を録画したり、複数チャンネルの番組を表示したりすることができる。また、電子機器１は、スクランブル放送を認証する機能も備えている。
【００３１】
以上が、実施形態に係る電子機器１の構成の概略的な説明である。以下に、電子機器１が備える、照明装置制御部２１０、表示画面制御部２２０および照明設定記録部１１０４について更に説明する。
【００３２】
図２は、登録された照明設定と各照明設定の対応する実施条件が記載された一覧表の一例を示した図である。表の第１列Ｃ１は、照明設定の登録番号が記載されている。表の第２列Ｃ２には、照明設定の登録名が記載されている。ユーザは、各照明設定に名前を登録することができる。図２の例では、例えば、登録番号１に「深夜用」という登録名で照明設定が登録されている。表の第３列Ｃ３には、照明設定を操作する対象となる照明装置の名前と各照明装置の設定値とが記載されている。例えば、登録番号２の「すべて消灯」という登録名の照明設定では、リビングのメイン照明並びに補助照明およびダイニングの照明といった複数の照明装置が操作対象であることが記載されている。また、各操作対象の設定値は、それぞれ、ＲＧＢの順番で（０，０，０）、（０，０，０）、（０，０，０）であることが記載されている。即ち、登録番号２の照明設定は、３つの操作対象の照明をすべて消灯する設定である。ユーザは、操作対象の照明毎にＲＧＢの値を設定することが可能である。
【００３３】
表の第４列目Ｃ４以降には、上記の照明設定を実施するための条件が列挙されている。第４列目Ｃ４には、コンテンツの再生時に照明設定を実施するか否かが記載されている。図２の例では、登録番号１および２の照明設定の実施はコンテンツの再生に連動させず、登録番号３〜５の照明設定の実施はコンテンツの再生に連動させる。表の第５列目Ｃ５には、照明設定を実施するコンテンツのジャンルが記載されている。登録番号１および２の照明設定は、照明設定の実施をコンテンツの再生に連動させないため、表の５列目Ｃ５以降の条件欄が空白になっている。コンテンツの再生と照明設定の実施を連動させる登録番号３〜５の照明設定は、それぞれ、コンテンツのジャンルがどの場合に、照明設定を実施するかが記載されている。
【００３４】
例えば、登録番号３の「アニメ用照明」は、再生するコンテンツのジャンルが国内アニメまたは海外アニメであることが照明設定を実施するための条件である。なお、ジャンルは、例えば、放送波に含まれるＡＲＩＢで規定されたジャンルを参照する。あるいは、ジャンルは、コンテンツにタグ付された情報に基づいてもよい。表の第６列目Ｃ６には、コンテンツの再生をどの時間帯に行った場合、照明設定を実施するかが記載されている。例えば、登録番号４の「お父さんの映画用照明」という登録名の照明設定は、１７：００〜３：００の間にコンテンツを再生することが照明設定を実施するための条件である。
【００３５】
表示画面制御部２２０は、第４列目Ｃ４以降に記載された条件がすべて合致した場合に、対応する照明設定を実施するか否かを問うユーザーインターフェース（ポップアップ画面）を表示する。例えば、１９：００にジャンルがライブ・コンサートのコンテンツを再生した場合、登録番号５の照明設定「ライブ用照明」の条件を全て満たすので、ポップアップ画面を表示する。
【００３６】
図３は、表示画面制御部２２０が表示するポップアップ画面の一例である。図３に示したポップアップ画面は、登録番号４の「お父さんの映画用照明」という登録名の照明設定が、全ての条件を満たした場合に表示されるポップアップ画面を例として示したものである。ポップアップ画面には、「お父さんの映画用照明」が条件に合致したことが表示されると共に、操作対象となっている各照明装置の設定情報が表示されている。また、ポップアップ画面には、予め登録しておいた照明設定を実施するためのボタンが表示されており、ユーザは、上記各照明装置の設定情報を確認しながら、照明設定を実施するか否か決定する。ポップアップ画面は、ユーザがリモートコントローラ１１６の決定キーを押下するか、または一定時間経過すると表示されなくなる。なお、ポップアップ画面は、照明装置の設定が登録した照明設定に既になっている場合には、表示されないようにしてもよい。
【００３７】
ユーザが上記のポップアップ画面が表示された際に、登録しておいた照明設定を実施する決定キーを押下した場合、照明装置制御部２１０は、通信インターフェース１２３を介して、通信可能な照明装置に、照明設定を実施するための制御信号を送信する。なおコントローラ１１０は、ユーザからのコンテンツ再生の指示に応じてポップアップ画面を表示するが、その際に、ポップアップ画面に対するユーザからの応答（決定キーコマンドの受信等）があるまでコンテンツ再生を開始せず、該応答に応じてコンテンツ再生を開始しても良い。同様に、ポップアップ画面が表示されてから一定時間経過して非表示になるタイミングでコンテンツ再生を開始してもよい。あるいは、コントローラ１１０は、ユーザからのコンテンツ再生の指示を受けると、ポップアップ画面の表示と共にコンテンツ再生を開始しても良い。
【００３８】
上の説明において、第４列目Ｃ４から第６列目Ｃ６までの３つの条件を満たすことが、照明設定を実施するための条件として記載されているが、照明設定を実施するための条件の数はこれに限らない。ユーザは、照明設定を実施するための条件を更に増やすことができる。他の条件としては、例えば、コンテンツが頭から再生されていること、コンテンツの視聴が放送開始時点若しくは放送開始数分前であること、番組タイトルに特定のキーワードが含まれることまたはコンテンツの再生時点で照明が点灯していること、であってもよい。コンテンツが頭から再生されていることを条件として加えれば、例えば、コンテンツを一時停止して再度再生した場合に、照明設定の実施を行うか否か再度問われることを防ぐことができる。また、現在照明が点灯していることを条件として加えれば、暗い視聴環境を望んでいるにもかかわらず、照明が点灯されることを防ぐことができる。また、コンテンツの再生時間帯のみならず、コンテンツが再生される曜日を条件に加えてもよい。例えば、休日にコンテンツが再生された場合にのみ、コンテンツの再生と連動して照明設定を実施してもよい。
【００３９】
図４は、第１の実施形態に係る電子機器１がコンテンツを再生してから照明装置を制御するまでのフローチャートを示した図である。図４のフローチャートを参照しながら、上で説明した照明設定の実施についてさらに詳しく説明する。例として、照明設定記録部１１０４には、図２に示した登録番号１〜５までの照明設定が記録されているとする。ユーザが、例えば、リモートコントローラ１１６のキーを押下して国内アニメのコンテンツの再生指示をし、上記再生指示を受信部１１７が受信したとする。続いて、画面表示制御部２２０が、照明設定記録部１１０４から照明設定を抽出する（[０１]）。照明設定の抽出は、例えば登録番号の若い数字から順に行ってもよい。図２に示した例では、登録番号１および２は、コンテンツ連動可否がＮｏに設定されていて（[０３−Ｎｏ]）、最後の照明設定ではないため（[０２−Ｎｏ]）、表示画面制御部２２０は、登録番号３の照明設定「アニメ用照明」を続いて抽出する（[０１]）。「アニメ用照明」は、コンテンツ連動可否がＹｅｓに設定されていて（[０３−Ｙｅｓ]）、ユーザが再生したコンテンツが国内アニメであり（[０４−Ｙｅｓ]）、コンテンツの再生時刻が所定の時間帯内にあるため（[０５−Ｙｅｓ]）、表示画面制御部２２０は、「アニメ用照明」の照明設定を実施するか否かを問うポップアップ画面を表示する（[０６]）。ユーザが、決定キーを押下して「アニメ用照明」を適用する場合（[０７−Ｙｅｓ]）、照明装置制御部２１０は、通信インターフェース１２３を介して、通信可能な照明装置に、照明設定を実施するための制御信号を送信し、照明装置の設定を調節する（[０８]）。その後、表示画面制御部２２０は、ポップアップ画面を閉じる（[０９]）。ユーザが、「アニメ用照明」を適用しない場合（[０７−Ｎｏ]）、ポップアップ画面は、所定の時間経過した後、表示されなくなる（[０９]）。なお[０５]においてコントローラ１１０は、照明設定の時間設定に対してコンテンツの再生時刻を比較しているが、照明設定の時間設定に対して、コンテンツ再生の指示を受けた時刻を比較しても良い。
【００４０】
図５は、表示画面制御部２２０および照明装置制御部２１０が行う信号処理の流れを示したフローチャートの更なる例である。上述したように、ユーザが照明設定を実施する条件として、更に、コンテンツが頭から再生されていることを付加したとする。その場合、先ず、表示画面制御部２２０は、再生箇所がコンテンツの先頭か否かを判断する。再生箇所がコンテンツの先頭であるならば（[Ｑ１−Ｙｅｓ]）、続いて、図４に示したフローチャートと同様の信号処理を行う。再生箇所がコンテンツの先頭でないならば（[Ｑ１−Ｎｏ]）、表示画面制御部２２０は何もせず処理を終了する。
【００４１】
なお、上の信号処理の説明では、最初に合致した照明設定の実施に関するポップアップ画面を表示した。表示画面制御部２２０は、照明設定記録部１１０４に記録された全ての照明設定について、条件を満たすかどうか処理をおこなってもよい。その場合、ポップアップ画面には、条件を満たした照明設定を全て表示し、どの照明設定を実施するかユーザに選ばせてもよい。
【００４２】
以上が実施形態に係る電子機器１の説明である。実施形態の電子機器１によれば、コンテンツを視聴する時間帯に応じて、照明設定の実施をコンテンツの再生と連動させることが可能である。従って、ユーザは、照明を明るくする必要がない時間帯にコンテンツを再生しても、照明装置を明るい照明設定に変更されることがない。または、ユーザは、照明を暗くする必要がない時間帯にコンテンツを再生しても、照明装置を暗い照明設定に変更されることがない。
【００４３】
図６は、実施形態に係る電子機器１を適用したシステム１００の概念図である。システム１００は、電子機器１と照明装置１０、２０および３０とを備える。電子機器１と照明装置１０、２０および３０とは、互いに無線で信号を送受信している。照明装置１０、２０および３０は、電子機器１から照明設定に関する信号を受信して、コンテンツの視聴環境を変化させる。
【００４４】
システム１００は、上で説明した電子機器１と同様の効果を奏する。
【００４５】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００４６】
例えば、表示画面制御部２２０は、照明設定を実施するための条件が全て合致したら、ポップアップ画面を表示せずに、照明装置制御部２１０に照明設定の実施を行わせてもよい。また、照明装置が、登録された照明設定に既になっている場合、その旨を伝えるポップアップ画面を表示するようにしてもよい。
【００４７】
また、コンテンツの再生は、放送波の番組の視聴開始であってもよく、インターネット上のコンテンツの再生であってもよく、記録媒体に格納されたコンテンツの再生であってもよい。また、コンテンツの再生は、放送波の番組の放送開始数分前であることを照明設定の実施の条件としてもよい。
【符号の説明】
【００４８】
１…電子機器、１０１…アンテナ、１０２…入力端子、１０３…チューナー部、１０４〜１０７…外部入力端子、１０８…信号処理部、１１０…コントローラ、１１１…ＯＳＤ信号生成部、１１２…グラフィック処理部、１１３…映像処理部、１１４…音声処理部、１１５…操作部、１１７…受信部、１１９…カードホルダ、１２０…カードインターフェース、１２１…明るさセンサー、１２２…ＬＡＮ端子、１２３…通信インターフェース、１２４…ＵＳＢ端子、１２５…ＵＳＢインターフェース、１２８…ＨＤＭＩ端子、１２９…ＨＤＭＩインターフェース、１４１…映像表示部、１４２…スピーカ、１５１…記録部、２１０…照明装置制御部、２２０…表示画面制御部、１１０４…照明設定記録部、１００…システム、１０、２０、３０…照明装置。
【図１】
2016054054.tif 000003
【図２】
2016054054.tif 000004
【図３】
2016054054.tif 000005
【図４】
2016054054.tif 000006
【図５】
2016054054.tif 000007
【図６】
2016054054.tif 000008